(57)【要約】【課題】クリップを、スムースかつガタつきなく、パネルＰなどに形成された取り付け穴に留め付けることができるようにする。【解決手段】取り付け穴Ｈへの差込部１１を有する雌パーツ１と、雌パーツ１内に押し込まれる脚部２０を有する雄パーツ２とを有している。雌パーツ１の差込部１１は、取り付け穴Ｈの一方穴壁Ｈａに掛合用外面１１ｃを向ける主差込部分１１ａを有していると共に、雌パーツ１内にには、基部１０側から差込部１１の先端側に向かうに連れて、主差込部分１１ａの掛合用外面１１ｂから次第に離れる向きに傾斜した傾斜案内面１３が形成されている。雄パーツ２を押し込み切った位置において雌パーツ１の主差込部分１１ａの掛合用外面１１ｂが取り付け穴Ｈの一方穴壁Ｈａに押し付けられ、かつ、雄パーツ２の掛合用外面２０ｆが取り付け穴Ｈの他方穴壁Ｈｂに押し付けられて取り付け穴Ｈに留め付けられる。【選択図】図１
2005221025.tif 000002
【特許請求の範囲】
【請求項１】
基部とこの基部から突き出す取り付け穴への差込部とを有する雌パーツと、
この雌パーツの基部に設けられた貫通穴を通じて雌パーツ内に押し込まれる脚部とこの押し込み操作用の頭部とを有する雄パーツとを有しており、
雌パーツの差込部は、取り付け穴の一方穴壁に掛合用外面を向ける主差込部分を有していると共に、
雌パーツ内にには、基部側から差込部の先端側に向かうに連れて、主差込部分の掛合用外面から次第に離れる向きに傾斜した傾斜案内面が形成されており、
この傾斜案内面によって、頭部を利用して取り付け穴の穴軸線に沿った向きの力を作用されて押し込まれる雄パーツの脚部におけるこの傾斜案内面に接する側と反対の掛合用外面が雌パーツの主差込部分の外面から離れる向きに徐々に移動され、雄パーツを押し込み切った位置において雌パーツの主差込部分の掛合用外面を取り付け穴の一方穴壁に押し付け、かつ、雄パーツの掛合用外面をこの一方穴壁の対向位置にある取り付け穴の他方穴壁に押し付けて取り付け穴に留め付けられるようになっていることを特徴とするクリップ。
【請求項２】
雌パーツの傾斜案内面の先に取り付け穴の穴軸線にほぼ沿った支持面が形成してあると共に、
雄パーツに雌パーツ内に押し込み切られた位置でこの支持面に接する取り付け穴の穴軸線にほぼ沿った被支持面が形成されていることを特徴とする請求項１記載のクリップ。
【請求項３】
雌パーツの傾斜案内面と支持面とが、雌パーツの内方に向けて突き出し、かつ、取り付け穴の穴軸線方向において長く延びるリブ状部に形成されていると共に、
このリブ状部の両側に、取り付け穴の穴軸線にほぼ沿った追加支持面が形成されおり、
雄パーツの脚部には、前記リブ状部を受け入れる溝部が設けられており、この溝部の溝底の一部に被支持面が形成されていると共に、
この溝部の両側に雌パーツ内に押し込み切られた位置で追加支持面に接する取り付け穴の穴軸線にほぼ沿った追加被支持面が形成されていることを特徴とする請求項２記載のクリップ。
【請求項４】
棒状をなす把持部とこの把持部の両端にアーム部を有するグリップ本体と、
車両などの内装パネルなどに形成された取り付け穴に留め付けられる請求項２又は請求項３記載のクリップであって、雌パーツの基部にグリップ本体のアーム部に備えられる軸部を回動可能に受け入れ組み付ける軸受け部を備えた一対のクリップとから構成されていることを特徴とするアシストグリップ。
【発明の詳細な説明】
【技術分野】
【０００１】
この発明は、車両などの内装パネルなどに形成された取り付け穴への差込部を備えた雌パーツと、この雌パーツ内に押し込まれる雄パーツとを有しており、この雌パーツ内に雄パーツを押し込み切ることにより取り付け穴に留め付けられて、典型的には、雌パーツに取り付けられた部材などをかかる内装パネルなどに取り付けるなどの用途に用いられるクリップ、および、このクリップを含んで構成されるアシストグリップに関する。
【背景技術】
【０００２】
クリップ本体とこのクリップ本体に挿入可能な案内部材よりなり、この挿入によって案内部材に設けたガイド片の傾斜面を取り付け孔の孔縁に摺接させて取り付け孔内でクリップ本体を移動させ、クリップを取り付け孔に係止させるようにしたクリップがある。（特許文献１参照）
【０００３】
しかるに、かかるクリップにあっては、ガイド片を取り付け孔の孔縁に摺接させながらクリップ本体内に挿入する関係から、この挿入がスムースになし難く、また、ガイド片に削れなどを生じやすく、こうした削れなどによって取り付け孔への係止状態においてガタなどを生じさせるおそれのあるものであった。
【特許文献１】特開２００１−２８９２１６号公報
【発明の開示】
【発明が解決しようとする課題】
【０００４】
この発明が解決しようとする主たる問題点は、クリップについては、この種のクリップをスムースかつガタつきなく、パネルなどに形成された取り付け穴に留め付けることができるようにする点にある。
【０００５】
また、アシストグリップにあっては、アシストグリップの使用によって、経時的に内装パネルなどに対するアシストグリップの取り付け状態が不安定にならない状態で、こうした内装パネルなどに適切に備え付けることができるようにする点にある。
【課題を解決するための手段】
【０００６】
前記問題点を解決するために、この発明にあっては、クリップが以下の（１）〜（２）の構成を備えたものとした。
（１）基部とこの基部から突き出す取り付け穴への差込部とを有する雌パーツと、
（２）この雌パーツの基部に設けられた貫通穴を通じて雌パーツ内に押し込まれる脚部とこの押し込み操作用の頭部とを有する雄パーツとを有しており、
（３）雌パーツの差込部は、取り付け穴の一方穴壁に掛合用外面を向ける主差込部分を有していると共に、
（４）雌パーツ内にには、基部側から差込部の先端側に向かうに連れて、主差込部分の掛合用外面から次第に離れる向きに傾斜した傾斜案内面が形成されており、
（５）この傾斜案内面によって、頭部を利用して取り付け穴の穴軸線に沿った向きの力を作用されて押し込まれる雄パーツの脚部におけるこの傾斜案内面に接する側と反対の掛合用外面が雌パーツの主差込部分の外面から離れる向きに徐々に移動され、雄パーツを押し込み切った位置において雌パーツの主差込部分の掛合用外面を取り付け穴の一方穴壁に押し付け、かつ、雄パーツの掛合用外面をこの一方穴壁の対向位置にある取り付け穴の他方穴壁に押し付けて取り付け穴に留め付けられるようになっている。
【０００７】
かかる構成によれば、雌パーツの差込部を取り付け穴に入れ込ませた後、この雌パーツ内に雄パーツを取り付け穴の穴軸線に沿う向きに押圧させる動作によって雄パーツを斜めに移動させることができ、このように斜めに移動される雄パーツの掛合用外面を他方穴壁に押し付けさせることによって雌パーツ内に雄パーツを入れ込み切らせた位置において取り付け穴に強固にクリップを留め付けさせることができる。雄パーツは雌パーツ内に押し込み切られた位置で最終的に取り付け穴の他方穴壁に掛合用外面を接しさせることから、この他方穴壁に摺接して雄パーツの掛合用外面が削れたりすることはなく、雌パーツ内に雄パーツを入れ込み切らせた位置においての雌パーツの掛合用外面と雄パーツの掛合用外面との間のピッチが予期せず変わってしまうようなことはないことから、取り付け穴へのクリップの留め付け状態は安定的に確保される。
【０００８】
また、上記構成に加えてさらに、（ａ）前記雌パーツの傾斜案内面の先に取り付け穴の穴軸線にほぼ沿った支持面を形成させておくと共に、
雄パーツに雌パーツ内に押し込み切られた位置でこの支持面に接する取り付け穴の穴軸線にほぼ沿った被支持面を形成させておくこともある。
【０００９】
このようにした場合、雌パーツ内に雄パーツを入れ込み切らせたクリップの取り付け穴への留め付け状態を安定的に確保させることができる。すなわち、かかる留め付け状態において、取り付け穴の他方穴壁に掛合用外面を押し付けている雄パーツに対しこの取り付け穴の穴軸線に交叉する向きの力が作用された場合であっても、こうした力を支持面と被支持面とで受けて予期せず雌パーツ内から雄パーツが抜け出す向きに移動され、取り付け穴へのクリップの留め付け状態が損なわれてしまうことがない。
【００１０】
また、前記（ａ）のようにした場合には、さらに、
（ｂ）雌パーツの傾斜案内面と支持面とが、雌パーツの内方に向けて突き出し、かつ、取り付け穴の穴軸線方向において長く延びるリブ状部に形成されていると共に、
このリブ状部の両側に、取り付け穴の穴軸線にほぼ沿った追加支持面が形成されおり、
雄パーツの脚部には、前記リブ状部を受け入れる溝部が設けられており、この溝部の溝底の一部に被支持面が形成されていると共に、
この溝部の両側に雌パーツ内に押し込み切られた位置で追加支持面に接する取り付け穴の穴軸線にほぼ沿った追加被支持面を形成させておくこともある。
【００１１】
このようにした場合、雌パーツ内に雄パーツを入れ込み切らせたクリップの取り付け穴への留め付け状態において、雌パーツと雄パーツとを、前記支持面と被支持面の他、前記溝部の両側においてそれぞれ追加支持面と追加被支持面においても接しさせることができ、前記のような力がクリップに作用された場合にも、この留め付け状態をより安定的に確保させることができる。
【００１２】
また、この発明にかかるアシストグリップは、棒状をなす把持部とこの把持部の両端にアーム部を有するグリップ本体と、
車両などの内装パネルなどに形成された取り付け穴に留め付けられる前記（ａ）又は（ｂ）この構成を備えたクリップであって、雌パーツの基部にグリップ本体のアーム部に備えられる軸部を回動可能に受け入れ組み付ける軸受け部を備えた一対のクリップとから構成されている。
【００１３】
グリップ本体はアシストグリップの使用にあたり回動操作されるが、このグリップ本体を内装パネルなどに支持するクリップを構成する雌パーツに対し雄パーツは、前記支持面に被支持面を接しさせた状態で、さらには、追加支持面に追加被支持面を接しさせた状態で、押し込まれはめ付けられていることから、この回動操作によってクリップに取り付け穴の穴軸線に交叉する向きの力が作用されても雄パーツは抜け出し方向に移動されることがなく、取り付け穴へのクリップの留め付け状態、すなわち、内装パネルなどに対するグリップ本体の取り付け状態は安定的に確保される。
【発明の効果】
【００１４】
この発明にかかるクリップは、パネルなどに形成された取り付け穴に対しスムースかつガタつきなく留め付けることができる。
【００１５】
また、この発明にかかるアシストグリップにあっては、アシストグリップの使用によって、経時的に内装パネルなどに対するアシストグリップの取り付け状態が不安定にならない状態で、こうした内装パネルなどに適切に備え付けることができる。
【発明を実施するための最良の形態】
【００１６】
以下、図１ないし図２０に基づいて、この発明を実施するための最良の形態について説明する。
【００１７】
なお、ここで図１は、クリップＣＬを構成する雌パーツ１に雄パーツ２を仮止めした状態において取り付け穴Ｈに雌パーツ１の差込部１１を入れ込ませた状態を、また、図２は、図１の状態から雌パーツ１内に雄パーツ２を押し込み切って取り付け穴ＨにクリップＣＬを留め付けさせた状態を、それぞれ示している。また、図１９および図２０は、図２のように取り付け穴Ｈに留め付けられたクリップＣＬによって車両などの内装パネルＰに取り付けられたアシストグリップＧの概要を示しており、図１９はこのアシストグリップＧをそれを構成するグリップ本体Ｇａの一方のアーム部Ｇｃ側から見て、また、図２０はこのアシストグリップＧをそれを構成するグリップ本体Ｇａの他方のアーム部Ｇｃ側から見て、それぞれ示している。また、図３ないし図１１は、クリップＣＬを構成する雌パーツ１を、図１２ないし図１８は、クリップＣＬを構成する雄パーツ２を、それぞれ示している。
【００１８】
この実施の形態にかかるクリップＣＬは、車両などの内装パネルＰなどに形成された取り付け穴Ｈへの差込部１１を備えた雌パーツ１と、この雌パーツ１内に押し込まれる雄パーツ２とを有しており、この雌パーツ１内に雄パーツ２を押し込み切ることにより取り付け穴Ｈに留め付けられて、典型的には、雌パーツ１に取り付けられた部材などをかかる内装パネルＰなどに取り付けるなどの用途に用いられるものである。
【００１９】
また、この実施の形態にかかるアシストグリップＧは、グリップ本体ＧａとかかるクリップＣＬを備えて構成されて、かかるクリップＣＬによって車両などの内装パネルＰなどに取り付けられるように構成されたものである。
【００２０】
（クリップＣＬ）
かかるクリップＣＬは、雌パーツ１と雄パーツ２とから構成されている。
【００２１】
雌パーツ１は、基部１０とこの基部１０から突き出す取り付け穴Ｈへの差込部１１とを有している。
【００２２】
図示の例では、かかる雌パーツ１は、外径を取り付け穴Ｈよりも大きくした板状部１０ａを有しており、この板状部１０ａの一面側に前記差込部１１が形成されている。
【００２３】
基部１０は、この板状部１０ａと、この板状部１０ａの他面側に、この板状部１０ａの他面から突き出すように形成されている筒状部１０ｂとから構成されている。そして、図示の例では、この筒状部１０ｂに後述するアシストグリップＧのグリップ本体Ｇａを回動可能に組み付けるための軸受け部１０ｃが形成されている。
【００２４】
より具体的には、基部１０を構成する筒状部１０ｂは筒上端を解放させた筒状をなすように構成されている。そして、この筒状部１０ｂの筒下端を板状部１０ａの他面に一体に接合させている。また板状部１０ａには、貫通穴１０ｆが形成されており、この貫通穴１０ｆが筒状部１０ｂの内部空間に連通されている。この貫通穴１０ｆは、略方形の穴縁形状を有するように形成されている。
【００２５】
差込部１１は、図示の例では、主差込部分１１ａと、一対の補助差込部分１１ｄ、１１ｄとから構成されている。
【００２６】
主差込部分１１ａは、板状部１０ａの他面側において、貫通穴１０ｆの一辺部に基部を一体に接合させて下方に突き出すように形成されている。また、一対の補助差込部分１１ｄ、１１ｄは、この主差込部分１１ａの基部が一体に接合された貫通穴１０ｆの一辺部に隣り合う二つの辺部においてそれぞれ、板状部１０ａの他面側において、この辺部にそれぞれ基部を一体に接合させて下方に突き出すように形成されている。
【００２７】
そして、図示の例にあっては、略方形の取り付け穴Ｈに対し、この取り付け穴Ｈの一辺にある一方穴壁Ｈａに主差込部分１１ａの基部外面が向き合い、かつ、この取り付け穴Ｈの一辺に隣り合う二つの辺の穴壁に補助差込部分１１ｄの基部外面が向き合うようにして、取り付け穴Ｈに雌パーツ１の差込部１１が入れ込まれるようになっている。図示の例にあっては、主差込部分１１ａおよび一対の補助差込部分１１ｄ、１１ｄの基部はいずれも雌パーツ１の内方に向けて窪んでおり、この窪んだ箇所によって形成された板状部１０ａの他面側に向いた掛合面１１ｂ、１１ｅが、取り付け穴Ｈに雌パーツ１の差込部１１を入れ込ませ切った位置において、取り付け穴Ｈの形成されたパネルＰの入れ込み先側にある穴縁部に引っかかるようになっている。すなわち、図示の例にあっては、一対の補助差込部分１１ｄ、１１ｄは、弾性変形可能に構成されており、取り付け穴Ｈに雌パーツ１の差込部１１を入れ込ませることで取り付け穴Ｈに雌パーツ１を仮止めできるようになっている。図示の例では、一対の補助差込部分１１ｄ、１１ｄは、雌パーツ１内に雄パーツ２を入れ込み切らせた状態において、この雄パーツ２の脚部の後述する側部面２０ｃによって内向きへの弾性変形が阻止されるようになっている。
【００２８】
また、主差込部分１１ａの基部外面が、後述する掛合用外面１１ｃとして機能するようになっている。また、図示の例では、この差込部１１の形成箇所と離れた位置において、板状部１０ａの他面に、パネルＰにおける取り付け穴Ｈの側方に形成された位置決め穴（図示は省略する。）に入り込む位置決め軸１２が突設されている。
【００２９】
また、雌パーツ１の基部１０を構成する筒状部１０ｂ内には、板状部１０ａの一面側において、補助差込部分１１ｄが形成された貫通穴１０ｆの辺部に下端を一体に接合させて上方に突き出す弾性片１０ｇが納められている。一対の弾性片１０ｇ、１０ｇの先端側であって他方の弾性片１０ｇに向けられた側には、雌パーツ１に対して雄パーツ２を仮止めするように、この雄パーツ２に形成された側部溝２０ｄに入り込む突起１０ｈが形成されている。
【００３０】
一方、雄パーツ２は、前記雌パーツ１の基部１０に設けられた貫通穴１０ｆを通じて雌パーツ１内に押し込まれる脚部２０とこの押し込み操作用の頭部２１とを有している。すなわち、雄パーツ２は、脚部２０の一端に頭部２１を有し、この脚部２０の他端、つまり、先端側を先にして、雌パーツ１の基部１０を構成する筒状部１０ｂの解放された筒上端から貫通穴１０ｆ内に脚部２０を入れ込ませるように構成されている。図示の例にあっては、雄パーツ２の頭部２１は板状蓋２１ａとして構成されており、雌パーツ１内に雄パーツ２を入れ込み切らせた位置で、この雄パーツ２の頭部２１が雌パーツ１の筒状部１０ｂの解放された筒上端縁に突き当たりこの筒上端を閉塞するようになっている。また、このように雌パーツ１内に雄パーツ２を入れ込み切らせた位置において、取り付け穴Ｈの穴軸線ｘにほぼ沿った面となっている雄パーツ２の後述する第二面２０ｂが傾斜案内面１３の形成側の雌パーツ１の内面に向き合った雌パーツ１の前記穴軸線ｘにほぼ沿った内面に密に押し付けられるようになっている。（図２）
【００３１】
かかる雄パーツ２の脚部２０は、雌パーツ１に形成された貫通穴１０ｆの穴形状に倣った横断面外殻形状を持つように構成されている。すなわち、かかる雄パーツ２の脚部２０は、前記貫通穴１０ｆへの押し込みにあたって、主差込部分１１ａの内面に向き合う第一面２０ａと、これに対向する第二面２０ｂと、補助差込部分１１ｄの内面に向き合う側部面２０ｃとを有している。
【００３２】
図示の例にあっては、かかる雄パーツ２の一対の側部面２０ｃ、２０ｃにそれぞれ、前記側部溝２０ｄが形成されている。この側部溝２０ｄは、脚部２０の第二面２０ｂ側において溝下端を外方に解放させていると共に、溝上端に向かうに連れて第一面２０ａ側に次第に近づくように斜めに延びている。また、溝内にこの側部溝２０ｄの幅方向に亘る二カ所の仕切部２０ｅ、２０ｅを有している。二カ所の仕切部２０ｅ、２０ｅ間の間隔は雌パーツ１の弾性片１０ｇに形成された突起１０ｈがほぼ密に納まる間隔とされている。図示の例にあっては、先ず、雌パーツ１内に雄パーツ２の脚部２０を入れ込ませることに伴って二カ所の仕切部２０ｅ、２０ｅのうちの脚部２０の先端側にある仕切部２０ｅを前記弾性片１０ｇを撓ませながら突起１０ｈが乗り越えるようにすることができ、雌パーツ１内に雄パーツ２を押し込み切らない位置において、この二カ所の仕切部２０ｅ、２０ｅの間に前記突起１０ｈ入れ込ませ、これにより、雌パーツ１と雄パーツ２とを仮止めさせることができるようになっている。（図１）そして、この状態で取り付け穴Ｈに雌パーツ１の差込部１１を入れ込ませた後、雄パーツ２を押し込むことにより、二カ所の仕切部２０ｅ、２０ｅのうちの脚部２０の頭部２１側にある仕切部２０ｅを前記弾性片１０ｇを撓ませながら突起１０ｈが乗り越えるようにして、雌パーツ１内に押し込み切られた雄パーツ２の状態、つまり、後述する取り付け穴ＨへのクリップＣＬの留め付け状態を安定的に維持できるようにしている。（図２）
【００３３】
そして、この実施の形態にかかるクリップＣＬは、
雌パーツ１の差込部１１に、取り付け穴Ｈの一方穴壁Ｈａに掛合用外面１１ｂを向ける前記主差込部分１１ａを有していると共に、
雌パーツ１内にには、基部１０側から差込部１１の先端側に向かうに連れて、主差込部分１１ａの掛合用外面１１ｂから次第に離れる向きに傾斜した傾斜案内面１３が形成されており、
この傾斜案内面１３によって、頭部２１を利用して取り付け穴Ｈの穴軸線ｘに沿った向きの力を作用されて押し込まれる雄パーツ２の脚部２０におけるこの傾斜案内面１３に接する側（前記第一面２０ａ側）と反対の掛合用外面２０ｆ（前記第二面２０ｂの一部）が雌パーツ１の主差込部分１１ａの外面から離れる向きに徐々に移動され、雄パーツ２を押し込み切った位置において雌パーツ１の主差込部分１１ａの掛合用外面１１ｂを取り付け穴Ｈの一方穴壁Ｈａに押し付け、かつ、雄パーツ２の掛合用外面２０ｆをこの一方穴壁Ｈａの対向位置にある取り付け穴Ｈの他方穴壁Ｈｂに押し付けてクリップＣＬが取り付け穴Ｈに留め付けられるようになっている。図示の例にあっては、雄パーツ２の掛合用外面２０ｆは取り付け穴Ｈの穴軸線ｘにほぼ沿った面となっている。
【００３４】
これにより、この実施の形態にかかるクリップＣＬにあっては、雌パーツ１の差込部１１を取り付け穴Ｈに入れ込ませた後、この雌パーツ１内に雄パーツ２を取り付け穴Ｈの穴軸線ｘに沿う向きに押圧させる動作によって雄パーツ２を斜めに移動させることができ、このように斜めに移動される雄パーツ２の掛合用外面２０ｆを他方穴壁Ｈｂに押し付けさせることによって雌パーツ１内に雄パーツ２を入れ込み切らせた位置において取り付け穴Ｈに強固にクリップＣＬを留め付けさせることができる。雄パーツ２は雌パーツ１内に押し込み切られた位置で最終的に取り付け穴Ｈの他方穴壁Ｈｂに掛合用外面を接しさせることから、この他方穴壁Ｈｂに摺接して雄パーツ２の掛合用外面２０ｆが削れたりすることはなく、雌パーツ１内に雄パーツ２を入れ込み切らせた位置においての雌パーツ１の掛合用外面と雄パーツ２の掛合用外面２０ｆとの間のピッチが予期せず変わってしまうようなことはないことから、取り付け穴ＨへのクリップＣＬの留め付け状態は安定的に確保される。
【００３５】
また、この実施の形態にあっては、
雌パーツ１の傾斜案内面１３の先に取り付け穴Ｈの穴軸線ｘにほぼ沿った支持面１４が形成してあると共に、
雄パーツ２に雌パーツ１内に押し込み切られた位置でこの支持面１４に接する取り付け穴Ｈの穴軸線ｘにほぼ沿った被支持面２０ｇが形成されている。
【００３６】
これにより、この実施の形態にあっては、雌パーツ１内に雄パーツ２を入れ込み切らせたクリップＣＬの取り付け穴Ｈへの留め付け状態を安定的に確保させることができるようになっている。すなわち、かかる留め付け状態において、取り付け穴Ｈの他方穴壁Ｈｂに掛合用外面２０ｆを押し付けている雄パーツ２に対しこの取り付け穴Ｈの穴軸線ｘに交叉する向きの力（図２における矢印Ｆ方向にクリップＣＬを引っ張るような向きの力）が作用された場合であっても、こうした力を支持面１４と被支持面２０ｇとで受けて予期せず雌パーツ１内から雄パーツ２が抜け出す向きに移動され、取り付け穴ＨへのクリップＣＬの留め付け状態が損なわれてしまうことがないようになっている。
【００３７】
また、この実施の形態にあっては、
雌パーツ１の傾斜案内面１３と支持面１４とが、雌パーツ１の内方に向けて突き出し、かつ、取り付け穴Ｈの穴軸線ｘに方向において長く延びるリブ状部１５に形成されていると共に、
このリブ状部１５の両側にある雌パーツ１の内面に、取り付け穴Ｈの穴軸線ｘにほぼ沿った追加支持面１６が形成されおり、
雄パーツ２の脚部２０には、前記リブ状部１５を受け入れる溝部２０ｈが設けられており、この溝部２０ｈの溝底の一部に被支持面２０ｇが形成されていると共に、
この溝部２０ｈの両側に雌パーツ１内に押し込み切られた位置で追加支持面１６に接する取り付け穴Ｈの穴軸線ｘにほぼ沿った追加被支持面２０ｉが形成されている。
【００３８】
これにより、この実施の形態にあっては、雌パーツ１内に雄パーツ２を入れ込み切らせたクリップＣＬの取り付け穴Ｈへの留め付け状態において、雌パーツ１と雄パーツ２とを、前記支持面１４と被支持面２０ｇの他、前記溝部２０ｈの両側においてそれぞれ追加支持面１６と追加被支持面２０ｉにおいても接しさせることができ、前記のような力がクリップＣＬに作用された場合にも、この留め付け状態をより安定的に確保させることができるようになっている。
【００３９】
図示の例にあっては、前記リブ状部１５は、雌パーツ１の基部１０を構成する筒状部１０ｂの上端側から主差込部分１１ａの先端部に亘って形成されている。傾斜案内面１３は、このリブ状部１５における上端側からその長さ方向ほぼ中程の位置までのリブ状部１５の突き出し面に形成され、この位置から先のリブ状部１５の突き出し面は前記穴軸線ｘにほぼ沿った支持面１４となっている。また、このリブ状部１５の両側にある雌パーツ１の内面は前記穴軸線ｘにほぼ沿った面となっており、この内面が前記追加支持面１６として機能するようになっている。
【００４０】
一方、雄パーツ２の脚部２０の前記第一面２０ａの形成されている箇所には、この脚部２０の長さ方向ほぼ中程の位置において、この脚部２０の長さ方向に沿った前記溝部２０ｈが形成されている。それと共に、脚部２０の先端とこの溝部２０ｈの先端側の溝端との間の第一面２０ａは、雌パーツ１の傾斜案内面１３とほぼ同じ傾斜を備えた傾斜面２０ｊとされている。そして、この溝部２０ｈにおける脚部２０の先端側の溝端部に前記被支持面２０ｇが形成してあると共に、この溝部２０ｈの頭部２１側の溝端を挟んだ両側にある第一面２０ａが、前記追加被支持面２０ｉとなっている。また、溝部２０ｈにおける被支持面２０ｇの形成箇所以外の溝底は、雌パーツ１の傾斜案内面１３とほぼ同じ傾斜を備えた傾斜面２０ｋとされている。
【００４１】
そして、図示の例にあっては、図１に示される雌パーツ１と雄パーツ２とを仮止めした状態から雄パーツ２を雌パーツ１内に押し込むと、脚部２０の前記各傾斜面２０ｊ、２０ｋを雌パーツ１のリブ状部１５の傾斜案内面１３に摺接させながら、雄パーツ２が第二面２０ｂを次第に主差込部分１１ａの内面から離れ出させる向きに斜めに移動され、この第二面２０ｂを取り付け穴Ｈの他方穴壁Ｈｂに押し当て、これにより、主差込部分１１ａの掛合用外面１１ｂが取り付け穴Ｈの一方穴壁Ｈａにも押し当てられ、これにより、取り付け穴ＨへのクリップＣＬの留め付けがなされるようになっている。そして、この留め付け状態において、雌パーツ１のリブ状部１５の傾斜案内面１３の先にある支持面１４に雄パーツ２の溝部２０ｈ内に形成された被支持面２０ｇが接し、かつ、雌パーツ１のリブ状部１５の両側であって前記支持面１４よりも上方にある追加支持面１６に、雄パーツ２の溝部２０ｈの両側にある追加被支持面２０ｉがそれぞれ接するようになっている。
【００４２】
（アシストグリップＧ）
次いで、この実施の形態にかかるアシストグリップＧは、グリップ本体Ｇａと、以上に説明したクリップＣＬを二つ備えて構成されるものとなっている。
【００４３】
グリップ本体Ｇａは、棒状をなす把持部Ｇｂとこの把持部Ｇｂの両端にアーム部Ｇｃを有している。把持部Ｇｂに対してアーム部Ｇｃは把持部Ｇｂの長さ方向にほぼ直交する向きに突き出されている。また、一対のアーム部Ｇｃは把持部Ｇｂから同じ向きに突き出されている。
【００４４】
二つのクリップＣＬ、ＣＰは、それぞれ、車両などの内装パネルＰなどに形成された取り付け穴Ｈに留め付けられるようになっている。
【００４５】
また、かかる二つのクリップＣＬ、ＣＰはそれぞれ、雌パーツ１の基部１０にグリップ本体Ｇａのアーム部Ｇｃに備えられる軸部Ｇｄを回動可能に受け入れ組み付ける軸受け部１０ｃを備えている。
【００４６】
図示の例にあっては、かかる軸受け部１０ｃは、雌パーツ１の基部１０を構成する筒状部１０ｂの外側であって、この筒状部１０ｂにおける主差込部分１１ａの形成側に向けられた側部と反対の側部に形成されている。具体的には、かかる軸受け部１０ｃはこの筒状部１０ｂの側部に一対の円板状体１０ｄ、１０ｄの一側部を、この円板状体１０ｄの幅広の板面が筒状部１０ｂの筒軸線に沿った向きに配されるように、一体に接合させることにより形成されている。一対の円板状体１０ｄ、１０ｄはそのほぼ中心部に軸穴１０ｅを有している。そして図示の例にあっては、この一対の円板状体１０ｄ、１０ｄの軸穴１０ｅにグリップ本体Ｇａのアーム部Ｇｃに備えられる軸部Ｇｄを通すことにより、この二つのクリップＣＬ、ＣＰを介して内装パネルＰなどに回動可能にグリップ本体Ｇａを組み付けてアシストグリップＧを構成させるようにしている。
【００４７】
グリップ本体ＧａはアシストグリップＧの使用にあたり回動操作されるが、（図１９および図２０における一点鎖線位置から使用時には各図における二点鎖線位置まで回動される。）このグリップ本体Ｇａを内装パネルＰなどに支持するクリップＣＬを構成する雌パーツ１に対し雄パーツ２は、前記支持面１４に被支持面２０ｇを接しさせた状態で、さらには、追加支持面１６に追加被支持面２０ｉを接しさせた状態で、押し込まれはめ付けられていることから、この回動操作によってクリップＣＬに取り付け穴Ｈの穴軸線ｘに交叉する向きの力が作用されても雄パーツ２は抜け出し方向に移動されることがなく、取り付け穴ＨへのクリップＣＬの留め付け状態、すなわち、内装パネルＰなどに対するグリップ本体Ｇａの取り付け状態は安定的に確保される。
【図面の簡単な説明】
【００４８】
【図１】クリップＣＬの使用状態を示した要部断面図
【図２】クリップＣＬの使用状態を示した要部断面図
【図３】雌パーツ１の斜視図
【図４】雌パーツ１の一部破断斜視図
【図５】雌パーツ１の側面図
【図６】雌パーツ１の底面図
【図７】図６と異なる向きから見た雌パーツ１の側面図
【図８】雌パーツ１の平面図
【図９】図５におけるＡ−Ａ線断面図
【図１０】図７におけるＢ−Ｂ線断面図
【図１１】図８におけるＣ−Ｃ線断面図
【図１２】雄パーツ２の斜視図
【図１３】図１２と異なる向きから見た雄パーツ２の斜視図
【図１４】雄パーツ２の側面図
【図１５】図１４と異なる向きから見た雄パーツ２の側面図
【図１６】雄パーツ２の平面図
【図１７】図１４におけるＤ−Ｄ線断面図
【図１８】図１４におけるＥ−Ｅ線断面図
【図１９】アシストグリップＧの取り付け状態を示した要部断面構成図
【図２０】図１９の側と反対の側から見たアシストグリップＧの取り付け状態を示した要部断面構成図
【符号の説明】
【００４９】
Ｈ  取り付け穴
Ｈａ  一方穴壁
Ｈｂ  他方穴壁
１  雌パーツ
１０  基部
１０ｆ  貫通穴
１１  差込部
１１ａ  主差込部分
１１ｃ  掛合用外面
１３  傾斜案内面
２  雄パーツ
２０  脚部
２１  頭部
２０ｆ  掛合用外面
【図１】
2005221025.tif 000003
【図２】
2005221025.tif 000004
【図３】
2005221025.tif 000005
【図４】
2005221025.tif 000006
【図５】
2005221025.tif 000007
【図６】
2005221025.tif 000008
【図７】
2005221025.tif 000009
【図８】
2005221025.tif 000010
【図９】
2005221025.tif 000011
【図１０】
2005221025.tif 000012
【図１１】
2005221025.tif 000013
【図１２】
2005221025.tif 000014
【図１３】
2005221025.tif 000015
【図１４】
2005221025.tif 000016
【図１５】
2005221025.tif 000017
【図１６】
2005221025.tif 000018
【図１７】
2005221025.tif 000019
【図１８】
2005221025.tif 000020
【図１９】
2005221025.tif 000021
【図２０】
2005221025.tif 000022